(57)【要約】【課題】  ゴルファー自身が容易にパターヘッドの形状を変えて、外観ならびに重心位置、慣性モーメント、ラインの出し易さおよびセットし易さ等のパターの性能や特性を調節することができるパターヘッド及びパターヘッドセットを提供する。【解決手段】  パターヘッド１は、ボールを打つフェース面１１を有する本体部材１０と、本体部材に着脱可能に取り付けられたバック部材２０とを備えている。本体部材とバック部材との間の着脱可能な取り付けは、ネジ３０一本のみでなされる。【選択図】図３
2010148652.tif 000002
【特許請求の範囲】
【請求項１】
ボールを打つフェース面を有する本体部材と、前記本体部材に着脱可能に取り付けられたバック部材とを備えたパターヘッドであって、前記着脱可能な取り付けが、ネジ一本のみでなされたパターヘッド。
【請求項２】
前記本体部材が、前記バック部材よりも比重が小さい請求項１に記載のパターヘッド。
【請求項３】
前記本体部材が、前記バック部材よりも硬さが低い請求項１に記載のパターヘッド。
【請求項４】
前記本体部材に対して前記バック部材の位置を固定する手段をさらに備えた請求項１〜３のいずれか一項に記載のパターヘッド。
【請求項５】
前記バック部材の先端部分が前記本体部材のバック部に押し付けられた状態で、前記本体部材と前記バック部材とが固定されており、前記先端部分がポリマー材料により構成されている請求項１〜４のいずれか一項に記載のパターヘッド。
【請求項６】
ボールを打つフェース面を有する本体部材と、前記本体部材に交換可能に取り付けられる複数のバック部材とを備えたパターヘッドセットであって、前記複数のバック部材のうちの１つと前記本体部材との交換可能な取り付けが、ネジ一本のみでなされるパターヘッドセット。
【発明の詳細な説明】
【技術分野】
【０００１】
本発明は、パターヘッド及びパターヘッドセットに関する。
【背景技術】
【０００２】
ゴルフでは、最後のパットが勝負を決めることも多く、ゴルファーのパッティングの能力はもちろんのこと、パターの性能や特性も勝敗を決する要因の１つである。パターの性能や特性としては、例えば、パターヘッドの重心位置、慣性モーメント、パッティングラインの出し易さ、セットのし易さ等がある。プレーする日のゴルファーの体調や、グリーンの芝の種類、状況に応じて、このようなパターの性能や特性を調節することができれば、ゴルファーにとっては有利となる。
【０００３】
しかしながら、パターの性能や特性を発揮するためには、パターヘッドを特定の材質で特定の形状に形成することが必要である。ゴルファーの技術レベルや採用する理論によって、求められるパターの性能や特性は様々であることから、また外観の好みもあり、バラエティーに富んだデザインのパターヘッドが開発されているが、パターの性能や特性をゴルファーが調節できるようなパターヘッドは少ない。
【０００４】
例えば、特許文献１には、パターヘッドの重心を変更するため、４つのパーツを組み合わせたパターヘッドが記載されている。４つのパーツは、本体と、本体の両側に位置する２つの翼部と、底部とからなり、本体と翼部にそれぞれ設けられた溝に、底部の突出部を嵌めることで、互いに結合するように構成されている。そして、左右の翼部を異なる比重の材料で構成することによって、パターヘッドの重心位置を左右に変化することができる。
【０００５】
しかしながら、特許文献１に記載された構成では、パターヘッドの左右の翼部のパーツの比重を変えることで、パターヘッドの重心位置を大きく変えることはできても、パターヘッドの慣性モーメントを大きく変えることは難しい。また、特許文献１に記載された構成では、パターヘッドを構成する部品が多く、これら多くのパーツを用いてパッティングに耐え得る強度を有するパターヘッドを組み立てるのは容易ではない。
【０００６】
また、特許文献２には、フェース面を有する前半体と、前半体の後側に取り付けられた円弧状の後半体とを備えたパターヘッドが記載されている。そして、前半体を低比重金属で構成し、円弧状の後半体を高比重金属で構成されているので、パターヘッドの重心回りの慣性モーメントが大きく、パターヘッドのスイートエリアが広いということが記載されている。しかし、特許文献２には、パターヘッドの慣性モーメントを調節することについて特に記載はない。また、特許文献２の構成では、前半体と後半体は、２本のボルトで固定されており、ゴルファー自身が容易に調節するには依然として不十分である。
【特許文献１】特開２００１−２２４７１８号公報
【特許文献２】特開２００５−６６２４９号公報
【発明の開示】
【発明が解決しようとする課題】
【０００７】
そこで本発明は、上記の問題点に鑑み、ゴルファー自身が容易にパターヘッドの形状を変えて、外観ならびに重心位置、慣性モーメント、パッティングラインの出し易さおよびセットし易さ等のパターの性能や特性を調節することができるパターヘッド及びパターヘッドセットを提供することを目的とする。
【課題を解決するための手段】
【０００８】
上記の目的を達成するために、本発明は、その一態様として、パターヘッドであって、ボールを打つフェース面を有する本体部材と、前記本体部材に着脱可能に取り付けられたバック部材とを備えており、前記着脱可能な取り付けが、ネジ一本のみでなされたことを特徴とするものである。
【０００９】
また、本発明は、別の態様として、パターヘッドセットであって、ボールを打つフェース面を有する本体部材と、前記本体部材に交換可能に取り付けられる複数のバック部材とを備えており、前記複数のバック部材のうちの１つと前記本体部材との交換可能な取り付けが、ネジ一本のみでなされることを特徴とするものである。
【００１０】
前記本体部材は、前記バック部材よりも比重が小さいことが好ましい。また、前記本体部材は、前記バック部材よりも硬さが低いことが好ましい。本発明のパターヘッドは、前記本体部材に対して前記バック部材の位置を固定する手段をさらに備えることが好ましい。前記バック部材の先端部分が前記本体部材のバック部に押し付けられた状態で、前記本体部材と前記バック部材とが固定されており、前記先端部分がポリマー材料により構成されていることが好ましい。
【発明の効果】
【００１１】
本発明によれば、上述したように、バック部材と本体部材との交換可能な取り付けが、ネジ一本のみでなされるので、ゴルファー自身が容易にパターヘッドのバック部材の取り外しができ、パターヘッドの形状を変えることができるので、外観はもちろん、重心位置、慣性モーメント、ラインの出し易さおよびセットし易さ等のパターの性能や特性を調節することができる。
【発明を実施するための最良の形態】
【００１２】
以下、添付図面を参照して、本発明に係るパターヘッドの一実施の形態について説明する。図１は、本発明に係るパターヘッドの一実施の形態であって、後方斜め上から見た斜視図である。図２は、図１に示すパターヘッドを、前方斜め下から見た斜視図である。図３は、図２に示すパターヘッドの分解斜視図である。図４は、図１に示すパターヘッドの分解斜視図である。
【００１３】
図１〜図４に示すように、本実施の形態のパターヘッド１は、ボールを打つフェース面１１を有する本体部材１０と、この本体部材１０に着脱可能に取り付けられたバック部材２０と、バック部材２０を本体部材１０に固定する１つのネジ３０と、本体部材１０に取り付けられたホゼル４０とから主に構成されている。ネジ３０は、ネジ頭部３１と雄ネジ部３２とを備えている。
【００１４】
本体部材１０は、フェース面１１の他、クラウン部１２、ソール部１３、サイド部１４およびバック部１５を備えている。本体部材のクラウン部１２には、ホゼル４０が固定されている。本体部材のバック部１５には、パターヘッド１の後方向へと延びる一対のフラップ１６が設けられている。この一対のフラップ１６は、図に示すように、平行であることが好ましい。また、フラップ１６間の距離は、バック部材２０の厚さと少なくとも同じ長さとなるように設計されている。
【００１５】
クラウン側のフラップ１６ａには、位置決め用の開口１８が設けられている。この位置決め用の開口１８としては、図４に示すように、フラップ１６ａの端部を切り欠いた形状が好ましい。また、位置決め用開口１８は、図では１つ設けただけであるが、複数設けることもできる。ソール側のフラップ１６ｂには、ネジ固定用の穴１７が設けられている。このネジ固定用の穴１７は、パターヘッド１のトウとヒールの中央に配置することが好ましい。ネジ固定用の穴１７としては、ネジ３０のネジ頭部３１を収容するための大径の穴１７ａと、雄ネジ３２が通過するための小径の穴１７ｂの２つの穴を設けることが好ましい。大径の穴１７ａの深さは、ネジ頭部３１の高さよりも大きいことが好ましい。小径の穴１７ｂは、大径の穴１７ａの穴底１７ｃに設けられている。
【００１６】
ソール側のフラップ１６ｂは、図に示すように、ソール部１３の外面と同一平面上に延びるように設けることが好ましい。このような場合、ネジ固定用の穴１７は、ソール側フラップ１６ｂの外面とソール部１３の外面との両方にわたってもよい。また、本体部材のバック部１５には、クラウン側とソール側のフラップ１６ａ、１６ｂ間において、バック部材２０を収容する窪み１９を設けることが好ましい。
【００１７】
バック部材２０は、図に示すように、パターヘッド１の後方に向かって延びる２つの延長部２１を備えていることが好ましい。これら２つの延長部２１は、本体部材１０に固定される固定部２２に設けられている。バック部材２０が２つの延長部２１を備える場合、バック部材２０は、図３に示すように、平面略Ｖ字形の形状とする他、略Ｕ字形または略Ｙ字形とすることができる。
【００１８】
この２つの延長部２１が為す角度は、パターヘッドの慣性モーメントを大きくして、スイートエリアを広げるためには、例えば８０°以上、好ましくは９０〜１２０°と、大きくすることが好ましい。一方、パターヘッドの慣性モーメントを小さくして、打感を敏感にするためには、２つの延長部２１が為す角度を、例えば３０°以下、好ましくは０°と、小さくすることが好ましい。
【００１９】
バック部材２０の固定部２２のクラウン側の面には、位置決め用の突起２３が設けられている。この突起２３は、本体部材１０のクラウン側のフラップ１６ａの位置決め用の開口１８に嵌る形状および大きさを有している。また、突起２３は、位置決め用の開口１８が複数ある場合、複数設けることができる。固定部２２のクラウン側の面には、ネジ３０の雄ネジ部３２が螺合するネジ穴２４が設けられている。
【００２０】
バック部材２０の固定部２２には、その本体部材１０側の先端部分において、ポリマー材料からなる先端部２５が設けられている。バック部材２０の先端部２５は、図に示すように、先細り状の形状を有することが好ましい。バック部材２０が本体部材１０にネジ３０により固定される際、このバック部材２０の先端部２５が、本体部材１０のバック部１５と直接的に接触する。
【００２１】
ポリマー材料としては、合成樹脂、熱可塑性エラストマーおよびゴムの中からそれぞれ選択することができる。合成樹脂としては、例えば、ウレタン樹脂などを使用することができる。熱可塑性エラストマーとしては、例えば、ウレタン系熱可塑性エラストマーやポリアミド系熱可塑性エラストマー、ポリエステル系熱可塑性エラストマーなどを使用することができる。ゴムとしては、例えば、スチレンブタジエンゴムやブタジエンゴムなどを使用することができる。
【００２２】
本体部材１０は、バック部材２０よりも比重が小さいことが好ましい。本体部材１０の比重を小さくし、バック部材２０の比重を大きくすることで、バック部材２０の形状を変えることによって、パターヘッド１の慣性モーメントを大幅に変化させることができる。また、本体部材１０は、バック部材２０よりも硬さが低いことが好ましい。本体部材１０の硬さを低くすることで、フェース面でボールを打った際の打感を軟らかくすることができる。
【００２３】
このような条件を満たす材料として、例えば、本体部材１０には、アルミニウム、アルミニウム合金、チタン、チタン合金等を用いることができる。アルミニウム合金としては、ＡＣ４Ｃ（比重：２．７、ビッカース硬さ：約２００）等を用いることができる。また、バック部材２０には、ステンレススチール、銅合金、タングステン合金等を用いることができる。ステンレススチールとしては、ＳＵＳ６３０（比重：７．８、ビッカース硬さ：約４００）等を用いることができる。
【００２４】
なお、図には示していないが、本体部材１０のフェース面１１に窪み部を設け、この窪み部に、ポリマー材料からなるインサートを配置することでも、ボールを打った際の打感を軟らかくすることができる。インサートに使用できるポリマー材料としては、合成樹脂、熱可塑性エラストマーなどがある。
【００２５】
ネジ３０は、金属製であることが好ましく、本体部材１０又はバック部材２０と同じ材質であることがより好ましい。ネジ３０の材質としては、例えば、アルミニウム、アルミニウム合金、ステンレススチール等を用いることができる。ネジ頭部３１の表面には、図には示していないが、すりわり又は十字穴を設けることができる。
【００２６】
以上のような構成によれば、パターヘッド１は、本体部材１０とバック部材２０とが１つのネジ３０で固定されているだけであるので、図３に示すように、ネジ３０を緩めて外すことで、バック部材２０を本体部材１０から容易に取り外すことができる。
【００２７】
バック部材２０を本体部材１０に取り付ける際は、先ず、バック部材２０の固定部２２を、本体部材１０のバック部に設けた一対のフラップ１６の間に挿入する。この際、バック部材２０の固定部２２のクラウン側表面に設けた位置決め用の突起２３を、本体部材１０のクラウン側フラップ１６ａに設けた位置決め用の開口１８内に差し込む。また、バック部材２０の先端部２５が本体部材１０の窪み１９内のバック部１５に接触するまで挿入する。この時、バック部材２０の固定部２２のネジ穴２４は、本体部材１０のネジ固定用の小径の穴１７ｂと揃う。
【００２８】
次に、ネジ３０の雄ネジ部３２を本体部材１０のネジ固定用の小径の穴１７ｂに通す。そして、ネジ３０のネジ頭部３１がネジ固定用穴１７の穴底１７ｃで係止するまで、ネジ３０を回す。これによって、バック部材２０のネジ穴２４に雄ネジ部３２が螺入することから、本体部材１０とバック部材２０とが固定される。
【００２９】
本体部材１０とバック部材２０とは、１つのネジ３０でしか固定されていないものの、バック部材２０の固定部２２のクラウン側表面に設けられた２つの突起２３が、本体部材１０のクラウン側フラップ１６ａに設けられた２つの開口１８に嵌合しているので、バック部材２０に多少の荷重がかかっても、バック部材２０が本体部材１０に対して移動するのを防ぐことができる。また、バック部材２０のポリマー材料からなる先端部２５が本体部材１０のバック部１５と接触した状態で、本体部材１０とバック部材２０とが固定されていることから、ポリマー材料の弾性により、本体部材１０とバック部材２０との間でガタ付きが生じるのを防ぐことができる。
【００３０】
バック部材２０は、着脱可能に固定されていることから、図１〜図４で示した形状とは異なるバック部材を、本体部材１０に取り付けることができる。例えば、２つの延長部２１間の角度が異なるバック部材を取り付けることができるし、図５に示すように、延長部５１が１つであるバック部材５０を取り付けることもできる。２つの延長部の間の角度をより小さくしたバック部材や、延長部を１つにして略Ｉ字形としたバック部材５０は、延長部の間の角度が大きいバック部材と比べて、慣性モーメントが小さくなるので、打感が敏感になり、はやいグリーンでの転がり感を調整することができる。
【００３１】
また、図６〜図８に示すように、延長部が略Ｔ字形のバック部材６０や、延長部が３つあるフォーク形のバック部材７０、延長部が略半円形のバック部材８０を取り付けることもできる。延長部を略Ｔ字形やフォーク形にすることで、パッティングラインの出し易さと、高い慣性モーメントを両立することができる。延長部を略半円形にすることで、マレット形状と同じイメージでセットし易くなる。
【００３２】
このように本発明によれば、本体部材１０に取り付けるバック部材２０を交換することで、パターヘッド１の慣性モーメント（パターヘッドの重心を通る軸回り）を変えることができる。複数のバック部材を用意する場合、複数のバック部材は、パターヘッド１の重量が３００〜４００ｇの範囲内で、パターヘッド１の重心回りの慣性モーメント（水平面に対して垂直な軸を基準とする）が３０００〜７０００ｇ・ｃｍ2の範囲内となるようにすることが好ましい。特に、複数のバック部材の間で、パターヘッド１の重心回りの慣性モーメントが２００ｇ・ｃｍ2以上、好ましくは５００ｇ・ｃｍ2以上変化するような形状の違いを有することが好ましい。
【図面の簡単な説明】
【００３３】
【図１】本発明に係るパターヘッドの一実施の形態を、後方斜め上から見た斜視図である。
【図２】図１に示すパターヘッドを、前方斜め下から見た斜視図である。
【図３】図１に示すパターヘッドを、前方斜め下から見た分解斜視図である。
【図４】図１に示すパターヘッドを、後方斜め上から見た分解斜視図である。
【図５】本発明に係るパターヘッドの別の実施の形態の底面図である。
【図６】本発明に係るパターヘッドの別の実施の形態の底面図である。
【図７】本発明に係るパターヘッドの別の実施の形態の底面図である。
【図８】本発明に係るパターヘッドの別の実施の形態の底面図である。
【符号の説明】
【００３４】
１  パターヘッド
１０  本体部材
１１  フェース面
１２  クラウン部
１３  ソール部
１４  サイド部
１５  バック部
１６  フラップ
１７  ネジ固定用穴
１８  位置決め用開口
１９  窪み
２０  バック部材
２１  延長部
２２  固定部
２３  位置決め用突起
２４  ネジ穴
２５  先端部
３０  ネジ
３１  ネジ頭部
３２  雄ネジ部
５０、６０、７０、８０  バック部材
５１  延長部
【図１】
2010148652.tif 000003
【図２】
2010148652.tif 000004
【図３】
2010148652.tif 000005
【図４】
2010148652.tif 000006
【図５】
2010148652.tif 000007
【図６】
2010148652.tif 000008
【図７】
2010148652.tif 000009
【図８】
2010148652.tif 000010